(57)【要約】【課題】消毒液ボトルの噴霧ノズルに掌をかざした使用者に代わって第三者が足踏み台の足踏み操作を円滑に行うことができる消毒装置を提供する。【解決手段】消毒液ボトル２を載置する載置台３１を上下方向へ摺動自在に支持した支持台３２を台Ｘ上に支持し、載置台３１と支持台３２との間に空気封入袋３３を収容する。支持台３２より立設した支柱４１に摺動片４２を上下摺動可能に挿通し、摺動片４２の上端より前部側へ延ばした被せ部材４３を消毒液ボトル２の頭頂部２２に被せる。支持台３２の下方から横方向へ離間した床面Ｂの離間位置に、空気ポンプ５４を収容した足踏み台５を設置する。足踏み台５の操作時に収縮する空気ポンプ５４の空気により空気封入袋３３を伸長させ、消毒液ボトル２の頭頂部２２を被せ部材４３の上面４３２に押し付けて噴霧ノズル２１から消毒液を噴霧している。【選択図】図２
0003230304.tif 000002
【実用新案登録請求の範囲】
【請求項１】
噴霧ノズルの付いた頭頂部を押圧することにより消毒液を噴霧して掌を消毒するポンプ式の消毒液ボトルを用いた消毒装置であって、
前記消毒液ボトルを載置する載置台と、
前記載置台を上下方向へ摺動自在に支持する支持台と、
前記載置台と前記支持台との間に収容され、内部に封入された流体が前記消毒液ボトルの重さにより排出される伸縮自在な流体封入袋と、
前記支持台の背部より上方へ立設された支柱と、
前記支柱に対し上下方向へ摺動自在に挿通された摺動片と、
前記摺動片の上端より前部側へ延び、前記消毒液ボトルの頭頂部に対して上方から被せられる被せ部材と、
前記摺動片と前記支柱との間に設けられ、前記被せ部材を前記消毒液ボトルの頭頂部に被せた状態で前記摺動片の前記支柱に対する上下方向への摺動を規制する規制手段と、
前記支持台の下方から横方向へ離間した床面の離間位置に足踏み操作可能に設置され、足踏み可能に上昇する上昇位置と足踏み操作により下降する下降位置とに変換される足踏み台と、
前記足踏み台に設けられ、内部の流体を給排する伸縮自在な流体給排源と、
前記流体封入袋と前記流体給排源とを流体流通可能に連結し、前記消毒液ボトルの重さにより収縮した際の前記流体封入袋からの流体を前記流体給排源に流通させた状態で前記足踏み台を上昇位置に変換するチューブと、
を備えていることを特徴とする消毒装置。
【請求項２】
前記被せ部材は、前記頭頂部と当接する上面と、この上面の周囲より垂下し、前記頭頂部を側方からも覆う周囲面と、この周囲面に設けられ、前記噴霧ノズルとの干渉を回避する切欠とを備えている請求項１に記載の消毒装置。
【請求項３】
前記支持台は、前記掌の消毒可能な高さの台上に設置されている請求項１又は請求項２に記載の消毒装置。
【請求項４】
前記掌の消毒可能な高さの壁面には、その壁面より離反する位置まで突出した状態から当該壁面に沿って上方へ延びる突片を有するフックが設けられ、
前記フックの突片には、前記支柱の下端が挿通された状態で当該支柱が係止されている請求項１又は請求項２に記載の消毒装置。
【考案の詳細な説明】
【技術分野】
【０００１】
本考案は、ポンプ式の消毒液ボトルを用いた消毒装置に関する。
【背景技術】
【０００２】
一般に、ウイルスによる感染症などを予防する上で、病院、公共施設や各種店舗の出入口にポンプ式の消毒液ボトルが設置されている。このポンプ式の消毒液ボトルは、噴霧ノズルの付いた頭頂部を掌で押圧することにより消毒液を噴霧して掌を消毒する際に用いられ、外部からのウイルスの持ち込みを防止し、衛生管理を充実させるようにしている。このようなポンプ式の消毒液ボトルは、多くのメーカーが製造しているため、サイズも様々である。
【０００３】
しかし、ポンプ式の消毒液ボトルは、多くの人が頭頂部を押圧するため、頭頂部が汚染されるおそれがある。そこで、頭頂部を手で触ることなく、消毒液ボトルの消毒液を噴霧できる足踏み式の消毒装置が従来より知られている（特許文献１参照）。
【０００４】
この消毒装置は、床面に設置される縦長状の台座部と、この台座部の上端に上下方向へ摺動自在に支持され、消毒液ボトルを載置する載置台と、台座部より上方へ延び、載置台上の消毒液ボトルの頭頂部に対して上方から被せられる被せ部材と、台座部の下端に足踏み操作可能に設置され、足踏み可能に上昇する上昇位置と足踏み操作により下降する下降位置とに変換されるシーソー状の足踏みペダル部と、この足踏みペダル部と載置台との間に上下動自在に設けられ、足踏みペダル部の両位置への変換動作を載置台の上下方向への摺動動作に変換するロッド状部材とを備えている。
【０００５】
そして、足踏みペダル部は、消毒液ボトルの重さにより下降するロッド状部材により上昇位置に変換される一方、足踏み操作されて下降位置に変換された際に消毒液ボトルの重さに抗してロッド状部材を上昇させることで、消毒液ボトルの頭頂部を被せ部材に押し付けて噴霧ノズルから消毒液を噴霧するようにしている。
【先行技術文献】
【特許文献】
【０００６】
【特許文献１】特開２０１５−１００４５４号公報
【考案の概要】
【考案が解決しようとする課題】
【０００７】
ところで、前記従来の消毒装置は、縦長状の台座部の上端に消毒液ボトルが、下端に足踏みペダル部のような足踏み台がそれぞれ一体に設けられているため、成人のような健常者にとっては自身の足の操作により掌に消毒液を最適に噴霧することができるようにしている。
【０００８】
しかし、老人や足の不自由な身障者にあっては、自身の足による足踏み台の操作が円滑に行えないことがあり、第三者の足の操作に依存しなければならないことがある。
【０００９】
その場合、縦長状の台座部の上下両端に消毒液ボトルと足踏み台が設けられていると、消毒液ボトルの噴霧ノズルに掌をかざした使用者の足元に足踏み台があるため、第三者が使用者に代わって足踏み台を足踏み操作することができず、遣い勝手が悪いものであった。しかも、消毒装置が非常に嵩張ったものとなり、掃除などをする際に邪魔になるという欠点もある。
【００１０】
本考案は、かかる点に鑑みてなされたものであり、その目的とするところは、非常にコンパクトで邪魔になり難くい上、消毒液ボトルの噴霧ノズルに掌をかざした使用者に代わって第三者が足踏み台の足踏み操作を円滑に行うことができる消毒装置を提供することにある。
【課題を解決するための手段】
【００１１】
前記目的を達成するため、本考案では、噴霧ノズルの付いた頭頂部を押圧することにより消毒液を噴霧して使用者の掌を消毒するポンプ式の消毒液ボトルを用いた消毒装置を前提とする。そして、前記消毒液ボトルを載置する載置台と、前記載置台を上下方向へ摺動自在に支持する支持台と、前記載置台と前記支持台との間に収容され、内部に封入された流体が前記消毒液ボトルの重さにより排出される伸縮自在な流体封入袋と、前記支持台の背部より上方へ立設された支柱と、前記支柱に対し上下方向へ摺動自在に挿通された摺動片と、前記摺動片の上端より前部側へ延び、前記消毒液ボトルの頭頂部に対して上方から被せられる被せ部材と、前記摺動片と前記支柱との間に設けられ、前記被せ部材を前記消毒液ボトルの頭頂部に被せた状態で前記摺動片の前記支柱に対する上下方向への摺動を規制する規制手段と、前記支持台の下方から横方向へ離間した床面の離間位置に足踏み操作可能に設置され、足踏み可能に上昇する上昇位置と足踏み操作により下降する下降位置とに変換される足踏み台と、前記足踏み台に設けられ、内部の流体を給排する伸縮自在な流体給排源と、前記流体封入袋と前記流体給排源とを流体流通可能に連結し、前記消毒液ボトルの重さにより収縮した際の前記流体封入袋からの流体を前記流体給排源に流通させた状態で前記足踏み台を上昇位置に変換するチューブと、を備えることを特徴としている。
【００１２】
また、前記被せ部材は、前記頭頂部と当接する上面と、この上面の周囲より垂下し、前記頭頂部を側方からも覆う周囲面と、この周囲面に設けられ、前記噴霧ノズルとの干渉を回避する切欠とを備えていてもよい。
【００１３】
また、前記支持台を、前記使用者の掌の高さの台上に設置していてもよい。
【００１４】
これに対し、前記使用者の掌の高さの壁面に、その壁面より離反する位置まで突出した状態から当該壁面に沿って上方へ延びる突片を有するフックを設ける。そして、前記フックの突片に、前記支柱の下端が挿通された状態で当該支柱を係止していてもよい。
【考案の効果】
【００１５】
以上、要するに、足踏み台を、足踏み操作により下降位置に変換した際に流体給排源からの流体を消毒液ボトルの重さに抗して流体封入袋に流通させることで、消毒液ボトルの頭頂部を被せ部材に押し付けて噴霧ノズルから消毒液を噴霧し、使用者の掌を円滑に消毒することが可能となる。
【００１６】
その場合、使用者の掌を消毒する消毒液ボトルを載置した載置台を支持する支持台の下方から横方向へ離間した床面の離間位置に足踏み台を設置することで、老人や足の不自由な身障者が自身の足による足踏み台の操作を円滑に行えなくても、消毒液ボトルの噴霧ノズルに掌をかざした使用者に代わって支持台の下方から横方向へ離間した床面の離間位置において足踏み台の操作を第三者が円滑に行うことができる。
【００１７】
しかも、支持台の流体封入袋と足踏み台の流体給排源とをチューブを介して連結することで、消毒装置が嵩張ることなく非常にコンパクトなものとなり、掃除などをする際に邪魔になることもなく、持ち運びも簡単に行うことができる。
【００１８】
また、消毒液ボトルの噴霧ノズルとの干渉を切欠により回避しつつ頭頂部の周囲を側方から覆う被せ部材によって、消毒液ボトルの噴霧ノズルの回転を抑えつつ消毒液ボトルの頭頂部を側方へずれることなく円滑に覆うことができる。
【００１９】
また、支持台を掌の消毒可能な高さの台上に設置することで、支持台上に載置台を介して支持した消毒液ボトルを使用者の背丈に応じた台上に設置することができ、車椅子に着座した身障者や背の低い子供にとっても非常に遣い易いものとなる。
【００２０】
これに対し、掌の消毒可能な高さの壁面に設けたフックの突片に支柱の下端を挿通した状態で係止することで、台を設置するスペースがない場所であっても支持台上に載置台を介して支持した消毒液ボトルを壁面に設置することができ、消毒液ボトルを設置する際の自由度を拡張することができる。
【図面の簡単な説明】
【００２１】
【図１】本考案の実施の形態に係る消毒装置の足踏み台を未操作状態で側方から見た側面図である。
【図２】図１の消毒装置の足踏み台を操作状態で側方から見た側面図である。
【図３】図１の消毒装置を前方から見た正面図である。
【図４】図１の消毒装置を後方から見た背面図である。
【図５】図１の消毒装置を上方から見た平面図である。
【図６】図１の消毒装置の支持台を上方から見た平面図である。
【図７】図１の消毒装置の支柱であって、（ａ）は支柱の背面図、（ｂ）は支柱の側面図、（ｃ）は支柱の平面図をそれぞれ示している。
【図８】図１の消毒装置の摺動片及び被せ部材であって、（ａ）は摺動片及び被せ部材の背面図、（ｂ）は摺動片及び被せ部材の側面図、（ｃ）は摺動片及び被せ部材の平面図をそれぞれ示している。
【図９】図１の消毒装置の足踏み台の平面図である。
【図１０】本実施の形態の変形例に係る消毒装置を側方から見た側面図である。
【図１１】図１０の消毒装置のフックであって、（ａ）はフックを前方から見た正面図、（ｂ）はフックの側面図である。
【考案を実施するための形態】
【００２２】
図１は本考案の実施の形態に係る消毒装置を未操作状態で側方から見た側面図、図２は図１の消毒装置を操作状態で側方から見た側面図をそれぞれ示している。また、図３は図１の消毒装置を前方から見た正面図、図４は図１の消毒装置を後方から見た背面図、図５は図１の消毒装置を上方から見た平面図をそれぞれ示している。
【００２３】
図１〜図５に示すように、消毒装置１は、噴霧ノズル２１の付いた頭頂部２２を押圧することにより消毒液を噴霧して使用者の掌を消毒するポンプ式の消毒液ボトル２を用いている。そして、消毒装置１は、使用者の掌の消毒可能な高さに消毒液ボトル２を載置するステンレス製の載置台３１と、載置台３１を上下方向へ昇降自在に支持するステンレス製の支持台３２と、載置台３１と支持台３２との間に収容され、アコーデオン状に上下方向へ伸縮する流体封入袋としての合成樹脂製の空気封入袋３３とを備えている。この空気封入袋３３は、下端が開口している。
【００２４】
また、消毒装置１は、支持台３２の背部（図１及び図２では右側）より上方へ立設されたステンレス製の支柱４１と、この支柱４１に対し摺動自在に挿通されたステンレス製の摺動片４２と、消毒液ボトル２の頭頂部２２に対して上方から被せられるステンレス製の被せ部材４３と、摺動片４２の支柱４１に対する摺動を規制する規制手段としてのねじ部材４４とを備えている。支持台３２は、掌の消毒可能な高さ（例えば６０ｃｍ）の台Ｘ上に設置されている
【００２５】
更に、消毒装置１は、台Ｘ上の支持台３２の下方から横方向へ離間した床面Ｂの離間位置に足踏み操作可能に設置された足踏み台５を備えている。この足踏み台５は、床面Ｂの離間位置に底面（図１〜図４では下面）が接地した状態で上方へ開口する断面略コ字状の基台５１と、基台５１の一端側（図１及び図２では右端側）に略水平方向へ延びるピン５２を介して一端側（図１及び図２では右端側）が回転自在に支持された足台５３とを備えている。足台５３は、基台５１と共にステンレスにより形成され、下方へ開口する断面略コ字状に形成されている。
【００２６】
また、消毒装置１は、足踏み台５に設けられた流体給排源としての空気ポンプ５４を備えている。この空気ポンプ５４は、合成樹脂により成形されたアコーデオン状に上下方向へ伸縮する手動式のものであって、内部に対し空気を給排する給排口５０（図４に表れる）を備えている。この空気ポンプ５４の給排口５０には、後述するチューブ５５の他端（下端）が連結されている。空気ポンプ５４は、足台５３の内部に収容されている。
【００２７】
また、消毒装置１は、空気封入袋３３と空気ポンプ５４との間を空気流通可能に連結するチューブ５５を備えている。このチューブ５５は、可撓性を有する合成樹脂材により形成されている。
【００２８】
図６は図１の消毒装置１の支持台３２を上方から見た平面図を示している。この図６にも示すように、支持台３２には、空気封入袋３３の下端の開口縁を支持台３２の上面に対し固着するビス（図示せず）を螺着するための周方向等間隔置きの８つのビス穴３４，３４，…が設けられている。この各ビス穴３４に螺着されるビス（図示せず）によって空気封入袋３３下端の開口縁が支持台３２の裏側から密閉状態に密着される。この場合、支持台３２は、載置台３１よりも大きな平面形状に形成されている。
【００２９】
また、支持台３２の上面には、真円形状の空気流通孔３４が設けられている。この空気流通孔３４には、支持台３２の上面の裏側からコネクタ３５が装着され、このコネクタ３５にチューブ５５の一端（上端）が連結されている。つまり、チューブ５５の一端は、空気流通孔３４のコネクタ３５を介して空気封入袋３３に連結されている。なお、コネクタ３５は、空気流通孔３４の中心軸回りに回動自在に支持されている。
【００３０】
更に、支持台３２の周囲の左右両側面の背部寄りには下方に開口する略逆Ｕ字状の切欠３６，３６が設けられ、いずれか一方の切欠３６を介してコネクタ３５に一端が連結されたチューブ５５が支持台３２内から導出される。このとき、コネクタ３５は、チューブ５５を導出する一方の切欠３６側に向くように回転しておく。なお、支持台３２の周囲の背面には、支柱４１の下端を固着するための左右一対のねじ穴３７，３７が設けられている。
【００３１】
図７は図１の消毒装置１の支柱４１であって、（ａ）は支柱４１の背面図、（ｂ）は支柱４１の側面図、（ｃ）は支柱４１の平面図をそれぞれ示している。この図７にも示すように、支柱４１は、断面略Ｃ字状に形成され、その下端より中央の直線部分を一体的に左右両方向へ直線状に延ばしたフランジ部４５を備えている。このフランジ部４５の左右両位置には、支持台３２の周囲の背面の各ねじ穴３７と合致するねじ穴４６，４６が設けられ、両ねじ穴３７，４６に螺着されるねじ４７によって支柱４１を支持台３２の下端に固着している。
【００３２】
図８は図１の消毒装置１の摺動片４２及び被せ部材４３であって、（ａ）は摺動片４２及び被せ部材４３の背面図、（ｂ）は摺動片４２及び被せ部材４３の側面図、（ｃ）は摺動片４２及び被せ部材４３の平面図をそれぞれ示している。この図８にも示すように、摺動片４２には、その左右方向中央に溶着された状態で摺動片４２の背面に沿って延びる溶着片４８が設けられている。
【００３３】
溶着片４８は、支柱４１の開口端よりも背面側に突出した状態で当該支柱４１に沿って摺動し、これによって、支柱４１に対する摺動片４２の上下方向への摺動のみを可能としている。被せ部材４３は、摺動片４２の上端より前部側へ延びる延長片４２１の前端に一体的に設けられている。また、溶着片４８も、当該溶接片４８の上端より前部側へ延びる延長片４８１を備え、この延長片４８１の前端は被せ部材４３の途中位置まで延長されて当該被せ部材４８の上面に溶着されている。被せ部材４３は、消毒液ボトル２の頭頂部２２と当接する上面４３２と、この上面４３２の周囲より下方へ垂下し、頭頂部２２を側方からも覆う周囲面４３０と、この周囲面４３２に設けられ、噴霧ノズル２１との干渉を回避する切欠４３１とを備えている。このとき、載置台３１上に載置された消毒液ボトル２は、被せ部材４３によって頭頂部２２のみが覆われている。
【００３４】
ねじ部材４４は、摺動片４２及び溶接片４８の下部に手で緩締可能に螺着され、被せ部材４３を消毒液ボトル２の頭頂部２１に上方から被せた状態で支柱４１の直線部分に対し先端を圧接させることで摺動片４２及び溶接片４８の支柱４１に対する上下方向への摺動を規制している。
【００３５】
図９は図１の消毒装置１の足踏み台５の平面図を示している。この図９にも示すように、足踏み台５は、平面視でほぼ同じような形状に形成され、基台５１よりも足台５３が若干大きな平面形状となっている。基台５１のピン５２よりも若干背部側寄りの左右両位置には、それぞれ外側方へ突出する突ピン５６，５６が設けられている。一方、各突ピン５６と対応する足台５３の左右両位置には、それぞれ上下方向へ長い長孔５７，５７が設けられている。各突ピン５６は、各長孔５７内に挿通されている。
【００３６】
そして、足踏み台５の足台５３は、消毒液ボトル２の重さにより収縮した際の空気封入袋３３からの空気をチューブ５５を介して空気ポンプ５４に流通させた状態で各長孔５７の上端位置に各突ピン５６が当接することで上昇位置（図１に示す位置）に変換される。一方、足踏み台５の足台５３は足踏み操作により各長孔５７の下端位置に各突ピン５６が当接することで下降位置（図２に示す位置）に変換される。このとき、足台５３が下降位置に変換された際に空気ポンプ５４内で圧縮された空気がチューブ５５を介して空気封入袋３３に導入されると、この導入された空気が消毒液ボトル２の重さに抗して空気封入袋３３を上方へ伸長させることで、消毒液ボトル２の頭頂部２２を被せ部材４３に押し付けて噴霧ノズル２１から消毒液を噴霧している。
【００３７】
したがって、本実施の形態では、足踏み台５の足台５３を、足踏み操作により下降位置に変換した際に空気ポンプ５４からのノズル５５を介した空気が消毒液ボトル２の重さに抗して空気封入袋３３に流通すると、この空気封入袋３３が上方へ伸長し、消毒液ボトル２の頭頂部２２を被せ部材４３の上面４３２に押し付けて噴霧ノズル２１から消毒液を噴霧し、使用者の掌を円滑に消毒することが可能となる。
【００３８】
その場合、使用者の掌を消毒する消毒液ボトル２を載置した載置台３１を支持する支持台３２の下方から横方向へ離間した床面Ｂの離間位置に足踏み台５が設置されているので、老人や足の不自由な身障者が自身の足による足踏み台５の操作を円滑に行えなくても、消毒液ボトル２の噴霧ノズル２１に掌をかざした使用者に代わって支持台３２の下方から横方向へ離間した床面Ｂの離間位置より足踏み台５の操作を第三者が円滑に行うことができる。
【００３９】
しかも、支持台３２の空気封入袋３３と足踏み台５の空気ポンプ５４とがチューブ５５を介して連結されているので、消毒装置１が嵩張ることなく非常にコンパクトなものとなり、掃除などをする際に邪魔になることもなく、持ち運びも簡単に行うことができる。
【００４０】
また、消毒液ボトル２の噴霧ノズル２１との干渉を切欠４３１により回避しつつ頭頂部２２の周囲を周囲面４３０により側方から覆う被せ部材４３によって、消毒液ボトル２の噴霧ノズル３１の回転を抑えつつ消毒液ボトル２の頭頂部２２を側方へずれることなく円滑に覆うことができる。
【００４１】
また、支持台３２が掌の消毒可能な高さの台Ｘ上に設置されているので、支持台３２上に載置台３１を介して支持した消毒液ボトル２が使用者の背丈に応じた台Ｘ上に設置することができ、車椅子に着座した身障者や背の低い子供にとっても非常に遣い易いものとなる。
【００４２】
更に、載置台３１上に載置された消毒液ボトル２は、被せ部材４３によって頭頂部２２のみが覆われているので、消毒液ボトル２のパッケージや消毒液量が簡単に視認でき、違和感なく安心して使用することができる。
【００４３】
なお、本考案は前記実施の形態に限定されるものではなく、その他種々の変形例を包含している。例えば、前記実施の形態では、支持台３２を台Ｘ上に設置したが、図１０及び図１１に示すように、フック６を用いて支持台３２が壁面Ｈに設置されていてもよい。つまり、掌の消毒可能な高さの壁面Ｈには、その壁面Ｈより離反する位置まで突出した状態から当該壁面Ｈに沿って平行に上方へ延びる突片６１を有するフック６が、左右両方向へそれぞれ延びるブラケット片６２，６２に開口するビス孔６３，６３に挿通されたビス６４によって取り付けられている。そして、フック６の突片６１には、支柱４１の下端が挿通された状態で係止されている。これにより、支持台３２を支持するための台を設置するスペースがない場所であっても、支持台３２上に載置台３１を介して支持した消毒液ボトル２を壁面Ｈに設置することができ、消毒液ボトル２を設置する際の自由度を拡張することが可能となる。
【００４４】
また、前記実施の形態では、載置台３１、支持台３２、支柱４１、摺動片４２、被せ部材４３、基台５１及び足台５３をステンレスにより形成したが、その他の金属や硬質の合成樹脂材により形成されていてもよく、材質については特に限定されるものではない。
【００４５】
また、前記実施の形態では、台Ｘの高さを６０ｃｍとしたが、幼児や小学生、又は車椅子を使用する身障者などの使用者を対象とする施設にあっては、これよりも低い台に変更してもよいのはいうまでもない。更に、新たに台を用意する必要がなく、既存の台を利用して支持台を設置すればよい。
【００４６】
また、前記実施の形態では、空気封入袋３３下端の開口縁を支持台３２の各ビス穴３４の裏側にビスによって密閉状態に密着したが、空気封入袋などの流体封入袋を密封された袋により構成し、この流体封入袋を載置台と支持台との間に収容されていてもよい。このとき、流体封入袋の上下両端面が載置台及び支持台に対し接着されていてもよい。
【００４７】
また、前記実施の形態では、足踏み台５の基台５１の一端側にピン５２を介して足台５３の一端側を回転自在に支持したが、ピンによる支持関係を廃止し、基台に対し空気ポンプなどの流体給排源を介して足台を昇降自在に載せることで、足台が足踏み操作によって基台に対して上昇位置から下降位置に変換されるようにしてもよい。このとき、流体給排源の上下両端面が基台及び足台に対し接着されていてもよい。
【００４８】
更に、前記実施の形態では、流体として空気を適用したが、水やオイルなどの液体が流体として適用されていてもよい。
【符号の説明】
【００４９】
１          消毒装置
２          消毒液ボトル
２１        噴霧ノズル
２２        頭頂部
３１        載置台
３２        支持台
３３        空気封入袋（流体封入袋）
４１        支柱
４２        摺動片
４３        被せ部材
４３０      周囲面
４３１      切欠
４３２      上面
４４        ねじ部材（規制手段）
５          足踏み台
５４        空気ポンプ（流体給排源）
５５        チューブ
６          フック
６１        突片
Ｂ          床面
Ｈ          壁面
Ｘ          台
【図１】
0003230304.tif 000003
【図２】
0003230304.tif 000004
【図３】
0003230304.tif 000005
【図４】
0003230304.tif 000006
【図５】
0003230304.tif 000007
【図６】
0003230304.tif 000008
【図７】
0003230304.tif 000009
【図８】
0003230304.tif 000010
【図９】
0003230304.tif 000011
【図１０】
0003230304.tif 000012
【図１１】
0003230304.tif 000013